(57)【要約】【課題】コンパクトで、かつ、親しみやすい納骨容器を提案する。【解決手段】見開き開閉可能で内部に遺骨収納部を有した納骨容器１であって、第一枠材２と、第一枠材２の一方の開口を遮蔽する第一板材４と、第一枠材２に突き合わせられた第二枠材３と、第二枠材３の一方の開口を遮蔽する第二板材５とを有しており、第一枠材２と第二枠材３とが、蝶番６を介して連結されており、第一板材４と第二板材５との間に遺骨収納部が形成されている。【選択図】図２
2019154522.tif 000002
【特許請求の範囲】
【請求項１】
見開き開閉可能であって、内部に遺骨収納部を有していることを特徴とする納骨容器。
【請求項２】
第一枠材と、
前記第一枠材の一方の開口を遮蔽する第一板材と、
前記第一枠材に突き合わせられた第二枠材と、
前記第二枠材の一方の開口を遮蔽する第二板材と、を有しており、
前記第一枠材と前記第二枠材とが、蝶番を介して連結されており、
前記第一板材と前記第二板材との間に前記遺骨収納部が形成されていることを特徴とする、請求項１に記載の納骨容器。
【請求項３】
前記第一枠材内に、前記遺骨収納部を形成する箱体が設けられており、
前記箱体の一部が前記第一枠材の他方の面から突出して前記第二枠材に挿入されていることを特徴とする、請求項２に記載の納骨容器。
【発明の詳細な説明】
【技術分野】
【０００１】
本発明は、遺骨を収納する納骨容器に関する。
【背景技術】
【０００２】
葬送の手段として、一部の地域を除き、火葬が一般的に行われている。火葬後の故人の焼骨は、信仰する宗教等によって形式が異なっているものの、お墓に埋葬するのが一般的である。一方、お墓の管理には費用や手間がかかる。また、都心部では、お墓が不足しているといわれている。そのため、お墓不足の解消や、お墓参りや管理の負担の軽減を目的として、納骨堂（寺、教会内も含む）を使用する人が増えている。
【０００３】
納骨堂は、一般的に室内に設けられており、ロッカー型、仏壇型、自動搬送式のもの等がある。このような納骨堂では、建物内の限られた空間内に、多数の遺骨を収納する必要がある。一方、納骨堂の利用希望者が増加すると、遺骨を収納するスペースを確保するために、納骨室を増築する必要がある。ところが、納骨室の増築には手間と費用がかかる。
【０００４】
そのため、特許文献１には、上下方向および横方向に連結可能な納骨用室容器が開示されている。この納骨用室容器によれば、納骨用室容器同士を係合することで、納骨室を増築ことなく、納骨容器を収容するための壁状の納骨用のスペースを形成することができる。
【０００５】
なお、近年では、お墓や納骨堂に納骨する代わりに、遺骨を身近において故人をしのぶ、いわゆる手元供養が採用される場合も増えている。手元供養では、住宅事情に応じたコンパクトな納骨容器が求められている。例えば、特許文献２には、粉骨化した遺骨を収納することが可能な長さ、幅、深さを備えていて上面が開口した収納箱体と、収納箱体の開口を閉塞する蓋体とから構成された納骨容器が開示されている。また、特許文献３には、納骨部および花収容部とを有していて、前面には、遺影取付部と、花収容部を視認可能ににするための開口とが設けられている納骨容器が開示されている。  
【先行技術文献】
【特許文献】
【０００６】
【特許文献１】特開２００３−１４７９９６号公報
【特許文献２】特開２０１６−２０９７５０号公報
【特許文献３】特開２０１７−１３６３３０号公報
【発明の概要】
【発明が解決しようとする課題】
【０００７】
納骨堂等に納骨する場合であっても、お参りしやすく、故人を身近に感じられる環境が求められている。
また、手元供養においても、生活環境に溶け込みやすい納骨容器が求められている。
【０００８】
本発明は、前記の問題点を解決することを目的とするものであり、コンパクトで、かつ、親しみやすい納骨容器を提案することを課題とする。
【課題を解決するための手段】
【０００９】
前記課題を解決するために、本発明は、見開き開閉可能であって、内部に遺骨収納部を有しているブック型の納骨容器である。前記納骨容器は、第一枠材と、前記第一枠材の一方の開口を遮蔽する第一板材と、前記第一枠材に突き合わせられた第二枠材と、前記第二枠材の一方の開口を遮蔽する第二板材とを有しており、前記第一枠材と前記第二枠材とが蝶番を介して連結されており、前記第一板材と前記第二板材との間に前記遺骨収納部が形成されているのが望ましい。
【００１０】
かかる納骨容器によれば、コンパクトな形状であるとともに、縦置きにも平置きも対応可能であるため、納骨堂の構造や、住宅事情に関わらず、保管しやすい。また、納骨容器を開いた際に、故人の写真や、故人にゆかりのある写真や絵等が視認できるように設置することもできるため、故人をお参りしたとき等に、故人をより身近に感じることができる。また、遺骨収納部以外に、故人にゆかりのある品物を収納するスペースを確保することもできる。
【００１１】
また、前記第一枠材内に、前記遺骨収納部を形成する箱体が設けられており、前記箱体の一部が前記第一枠材の他方の面から突出して前記第二枠材に挿入されていれば、遺骨収納部の容量を増やすことができる。すなわち、本発明の納骨用によれば、遺骨の一部を収納する場合であっても、全部を収納する場合であっても、コンパクトな外形を維持したまま、対応することが可能である。
【発明の効果】
【００１２】
本発明の納骨容器によれば、コンパクトで、かつ、より親しみやすい構成を備えているため、納骨形式に関わらず、故人を身近に感じるとともに遺族への負担を軽減することが可能となる。
【図面の簡単な説明】
【００１３】
【図１】（ａ）および（ｂ）は本発明の実施形態に係る納骨容器を示す斜視図である。
【図２】納骨容器を開いた状態を示す斜視図である。
【図３】（ａ）は納骨容器の平断面図、（ｂ）は納骨容器の縦断面図である。
【図４】第一蓋材および第二蓋材を取り除いた状態を示す斜視図である。
【図５】他の形態に係る納骨容器を示す斜視図である。
【発明を実施するための形態】
【００１４】
本発明の実施形態に係る納骨容器１は、図１（ａ）および（ｂ）に示すように、表紙部１１、裏表紙部１２、背表紙部１３を有した本型の箱である。本実施形態の納骨容器１は、オークの無垢材により形成している。なお、納骨容器１を構成する材料は限定されるものではなく、例えば、ヒノキ、モミ、キリ、スギ等であってもよい。また、納骨容器１は、集成材により形成してもよいし、木以外の材料（例えば、紙、金属、プラスチック等）により形成してもよい。さらに納骨容器１は、複数の材料を組み合わせて形成してもよい。
【００１５】
納骨容器１は、図２に示すように、厚さ方向の中央部において分割して、見開き開閉可能である。
納骨容器１は、第一枠材２、第二枠材３、第一板材４、第二板材５、蝶番６および箱体７を備えている。
【００１６】
第一枠材２は、木材を組み合わせることにより形成された矩形状の枠である。図３（ａ）および（ｂ）に示すように、第一枠材２の一方の開口（第二枠材３と反対側の開口）は第一板材４により遮蔽されていて、第一枠材２の他方の開口（第二枠材３側の開口）は納骨容器１を閉じた際に第二枠材３と突き合わせられる。第一枠材２は、図２に示すように、背表紙部１３側の他方の開口側において、蝶番６により第二枠材３と連結されている。すなわち、第一枠材２は、第二枠材３に対して回動可能に連結されている。なお、第一枠材２は必ずしも複数の木材を組み合わせることにより形成する必要はなく、例えば、板材に開口を形成することにより枠状に形成してもよい。また、蝶番６の数、配置、形状、材質等は限定されるものではない。
【００１７】
第一板材４は、矩形状の木板である（図１（ａ）参照）。図３（ａ）および（ｂ）に示すように、第一板材４の背表紙部１３側以外の外縁は、第一枠材２の側面から突出している。第一板材４の背表紙部１３側の端面は、第一枠材２よりも内側に位置している。すなわち、背表紙部１３側では、第一枠材２が第一板材４よりも突出している。なお、第一板材４の縁部と第一枠材２の側面との位置関係は、前記の形態に限定されるものではなく、例えば、第一板材４の端面が第一枠材２の側面と面一となっていてもよい。また、第一板材４の板厚は適宜決定すればよい。
【００１８】
第二枠材３は、木材を組み合わせることにより形成された矩形状の枠である。第二枠材３は、第一枠材２と正面視同形状であって、納骨容器１を閉じた際に、互いに突き合わされる（図２および図３参照）。図２に示すように、第二枠材３の一方の開口（第一枠材２と反対側の開口）は第二板材５によって遮蔽されている。なお、第二枠材３は必ずしも複数の木材を組み合わせることにより形成する必要はなく、例えば、板材にに開口を形成することにより枠状に形成してもよい。
【００１９】
第二板材５は、矩形状の木板である（図１（ｂ）参照）。図３（ａ）および（ｂ）に示すように、第二板材５の背表紙部１３側以外の外縁は、第二枠材３の側面から突出している。第二板材５の背表紙部１３側の端面は、第二枠材３よりも内側に位置している。すなわち、背表紙部１３側では、第二枠材３が第二板材５よりも突出している。なお、第二板材５の縁部と第二枠材３の側面との位置関係は限定されるものではなく、例えば、第二板材５の端面が第二枠材３の側面と面一となっていてもよい。また、第二板材５の板厚は適宜決定すればよい。
【００２０】
第二枠材３の他方の開口（第一枠材２側の開口）は、第二蓋材３１により遮蔽可能に構成されている（図２参照）。第二枠材３、第二蓋材３１および第二板材５によって囲まれた空間は、収納スペース１５として使用できる。第二蓋材３１は、第二枠材３の端面（第一枠材２との突き合わせ面）よりも奥側（第一枠材２と反対側）に配置されている。図４に示すように、第二枠材３の内周面には、第二蓋材３１の位置に対応して、溝３２が形成されている。溝３２の溝幅は、第二蓋材３１の厚さと同等である。また、第二枠材３の４つの外側面の一つ（本実施形態では上側の外側面）には、第二蓋材３１の平断面形状と同形状の蓋用スリット３３が形成されていて、第二蓋材３１を挿通可能である。すなわち、第二蓋材３１は、蓋用スリット３３を挿通して、溝３２に挿入することで、第二枠材３の他方の開口を遮蔽する（図２参照）。なお、本実施形態では、第二蓋材３１を上下方向に摺動させることで、第二枠材３の他方の開口を開閉するものとしたが、第二蓋材３１は、横方向に摺動させてもよい。また、第二蓋材３１の開閉方法は第二蓋材３１を摺動させる場合に限定されるものではなく、例えば、嵌め込み式であってもよい。すなわち、第二蓋材３１は、第二枠材３に対して前後に移動させること（差し込んだり抜き出したりすること）により開閉させてもよい。
【００２１】
図３（ａ）および（ｂ）に示すように、第一枠材２の内側には、箱体７が設けられている。箱体７は、遺骨収納部１４を形成するものであり、第一蓋材７１により遮蔽可能である。すなわち、箱体７の内空部分は、遺骨を収納するための遺骨収納部１４として機能する。箱体７は、矩形状の側壁部分７２と、底板７３とにより直方体状を呈している。箱体７は、第一枠材２の深さ（厚さ）よりも大きな深さ（厚さ）を有しており、箱体７の一部は第一枠材２から第二枠材３側に突出している。箱体７の第一枠材２から突出部分は、納骨容器１を閉じた際に第二枠材３に挿入される。すなわち、遺骨収納部１４は、第一板材４と第二板材５との間に形成されている。
【００２２】
側壁部分７２の内面には、図４に示すように、第一蓋材７１を挿入するための溝７４が形成されている。溝７４は、側壁部分７２の左右および下側の辺に形成されている。一方、側壁部分７２の上辺で、他の部分よりも厚さが薄く、左右の辺に形成された溝が露出した状態となっている。そのため、第一蓋材７１は、側壁部分７２の上側から溝７４に挿入することが可能である。なお、本実施形態では、第一蓋材７１を上下方向に摺動させることで、箱体７の開口を開閉するものとしたが、第一蓋材７１は、横方向に摺動させてもよい。また、第一蓋材７１の開閉方法は第一蓋材７１を摺動させる場合に限定されるものではなく、例えば嵌め込み式であってもよい。すなわち、第一蓋材７１は、箱体７に対して前後に移動させること（差し込んだり抜き出したりすること）により開閉させてもよい。
【００２３】
以上、本実施形態の納骨容器１によれば、コンパクトな形状を備えているとともに、縦置き、平置きに限定されることなく保管することができるため、納骨堂の構造や住宅事情に関わらず、保管しやすい。例えば、棚等に納骨容器１を収納することもできる。
また、納骨容器１を開いた際に、故人の写真や、故人にゆかりのある写真や絵等が視認できるように設置することができるため、故人をお参りしたとき等に、故人をより身近に感じることができる。
【００２４】
箱体７を第一枠材２と第二枠材３とに跨って配置しているため、遺骨収納部１４の容積が大きい。そのため、遺骨の全体を収納することが可能である。遺骨収納部１４は、第一蓋材７１により開閉可能なため、納骨後であっても、簡易に分骨することができる。
また、第二枠材３に収納スペース１５を確保しているため、故人にゆかりのある品物、手紙、写真等を収納することができる。
【００２５】
以上、本発明に係る実施形態について説明した。しかし、本発明は、前述の実施形態に限られず、前記の各構成要素については、本発明の趣旨を逸脱しない範囲で、適宜変更が可能である。
前記実施形態では、第一枠材２に箱体７が挿入されている（嵌め込まれている）場合について説明したが、箱体７は必要応じて設ければよく、省略してもよい。なお、箱体７を省略する場合には、図５に示すように、第一枠材２に溝７４を形成して、第一蓋材７１を設ければよい。また、第一枠材２に段差を形成して、第一枠材２と側壁部分７２とを一体に形成した構造として、容積を大きくした遺骨収納部１４を形成してもよい。
【００２６】
また、遺骨収納部１４および収納スペース１５は、仕切り等によって分割されていてもよい。
納骨容器１は、見開き開閉可能であればよく、必ずしも枠材（第一枠材２および第二枠材３）と板材（第一板材４および第二板材５）を組み合わせることにより形成する必要はない。例えば、有底の凹部が形成された２つの部材を見開き開閉可能に組み合わせたものであってもよい。
【００２７】
第一枠材２と第二枠材３との間に、係止部材が形成されていてもよい。係止部材は、第一枠材２と第二枠材３とが意図せずに開くことを防止することが可能であれば限定されるものではなく、例えば、互いに嵌合する治具であってもよいし、磁石等により形成されていてもよい。
【００２８】
第一枠材２と第二枠材３とは、外形形状が同形状であればよく、必ずしも同一形状である必要はない。すなわち、第一枠材２および第二枠材３は、板厚が異なっていてもよい。
第二蓋材３１は省略してもよい。また、第二枠材３を写真や絵等の額として使用してもよく、必ずしも収納スペース１５を有している必要はない。
【符号の説明】
【００２９】
１    納骨容器
１４  遺骨収納部
２    第一枠材
３    第二枠材
４    第一板材
５    第二板材
６    蝶番
７    箱体
【図１】
2019154522.tif 000003
【図２】
2019154522.tif 000004
【図３】
2019154522.tif 000005
【図４】
2019154522.tif 000006
【図５】
2019154522.tif 000007